(57)【特許請求の範囲】
【請求項１】
円筒体と、上カバーと、エア案内子を含む気圧式除水装置内に設置され、前記上カバーは、前記円筒体の一端に設置され、入り口通路と、出口通路を有し、前記二つの通路は、それぞれ外部及び前記円筒体と連通しており、前記エア案内子は貫通孔が開設されており、一端が前記上カバーに設けられ前記入り口通路と連通しており、かつ前記円筒体内に設置されている気圧式除水装置用仕切り組であって、
前記仕切り組は、互いに脱着可能な複数の仕切り構造を重ねて構成され、
前記各仕切り構造は、一端に凹み空間が設けられており、他端に凸部が設けられており、前記凸部は前記凹み空間に合せ可能な形状をしており、前記各仕切り構造には、前記凹み空間と前記凸部とを貫通した透孔が開設されており、
そのうちの一つの前記仕切り構造は、前記凸部を前記エア案内子の他端に合せて前記エア案内子に組み付けられており、こうして前記エア案内子に組み付けられている仕切り構造の前記透孔が前記エア案内子の前記貫通孔と連通しており、
その他の前記仕切り構造は、前記凸部を隣接している仕切り構造の前記凹み空間に合せて取り付け、この取り付けを繰り返すことにより、複数の前記仕切り構造を互いに重ねて、こうして重ねられた仕切り構造は、それぞれの前記透孔が隣接しているそれぞれの前記仕切り構造の前記凹み空間と連通しており、
更に、エア案内子の他端にねじ穴が開設されており、前記ねじ穴に対応して前記各仕切り構造に別の貫通孔が開設されており、ネジを前記別の貫通孔に挿通して前記ねじ穴をねじ込むことにより、前記仕切り組を構成することを特徴とする、気圧式除水装置用仕切り組。
【請求項２】
円筒体と、上カバーと、エア案内子を含む気圧式除水装置内に設置され、前記上カバーは、前記円筒体の一端に設置され、入り口通路と、出口通路を有し、前記二つの通路は、それぞれ外部及び前記円筒体と連通しており、前記エア案内子は貫通孔が開設されており、一端が前記上カバーに設けられ前記入り口通路と連通しており、かつ前記円筒体内に設置されている気圧式除水装置用仕切り組であって、
前記仕切り組は、互いに脱着可能な複数の仕切り構造を重ねて構成され、
前記各仕切り構造は、一端に凹み空間が設けられており、他端に凸部が設けられており、前記凸部は前記凹み空間に合せ可能な形状をしており、前記各仕切り構造には、前記凹み空間と前記凸部とを貫通した透孔が開設されており、前記凹み空間の内面に内ねじが設けられ、前記凸部の外面に外ねじが設けられ、前記エア案内子の内面に別の内ねじが設けられ、
そのうちの一つの前記仕切り構造は、前記凸部の前記外ねじを前記エア案内子の前記別の内ねじに締め付けて前記エア案内子に組み付けられており、こうして前記エア案内子に組み付けられている仕切り構造の前記透孔が前記エア案内子の前記貫通孔と連通しており、
その他の前記仕切り構造は、前記凸部の外ねじを隣接している仕切り構造の前記凹み空間の内ねじと螺合して取り付け、この取り付けを繰り返すことにより、複数の前記仕切り構造を互いに重ねて、こうして重ねられた仕切り構造は、それぞれの前記透孔が隣接しているそれぞれの前記仕切り構造の前記凹み空間と連通しており、
以上の構成により、前記仕切り組を形成することを特徴とする、気圧式除水装置用仕切り組。
【請求項３】
更に、前記エア案内子には、前記仕切り組の周りに嵌められている仕切り管が設けられていることを特徴とする、請求項１又は２に記載の気圧式除水装置用仕切り組。
【発明の詳細な説明】
【技術分野】
【０００１】
本発明は、流体容量可変式の機械に関し、特に、気圧式除水装置用仕切り組に関するものである。
【背景技術】
【０００２】
本発明者は、気圧式除水装置を開発したが、この気圧式除水装置は、内部に多数のエア室を有し階段形状を呈する上昇案内管に高圧状態でのエアを通過させ、上昇案内管の階段形状を呈する内面により、流通しているエアが前記内面と衝突して流速が変化するので、エアに含まれる水分が上昇案内管内に凝結し、これにより、除水効果を達成することができ、そして上昇案内管の内面に設けられている階段が多いほど除水効果が良くなる。
【０００３】
しかしながら、ある場合には、ほぼ完全に乾燥されたエアが必要であるが、ある場合には、適当な湿度を有するエアが必要であるので、異なる寸法を有する上昇案内管を別々に作製することが必要になり、そうすると生産コストが増加する。
【発明の開示】
【発明が解決しようとする課題】
【０００４】
本発明の主な目的は、除水されたエアの湿度を低コストで変更可能な気圧式除水装置用仕切り組を提供することにある。
【課題を解決するための手段】
【０００５】
上記目的を達成するためになされた本発明の請求項１は、円筒体と、上カバーと、エア案内子を含む気圧式除水装置内に設置され、前記上カバーは、前記円筒体の一端に設置され、入り口通路と、出口通路を有し、前記二つの通路は、それぞれ外部及び前記円筒体と連通しており、前記エア案内子は貫通孔が開設されており、一端が前記上カバーに設けられ前記入り口通路と連通しており、かつ前記円筒体内に設置されている気圧式除水装置用仕切り組であって、前記仕切り組は、互いに脱着可能な複数の仕切り構造を重ねて構成され、前記各仕切り構造は、一端に凹み空間が設けられており、他端に凸部が設けられており、前記凸部は前記凹み空間に合せ可能な形状をしており、前記各仕切り構造には、前記凹み空間と前記凸部とを貫通した透孔が開設されており、そのうちの一つの前記仕切り構造は、前記凸部を前記エア案内子の他端に合せて前記エア案内子に組み付けられており、こうして前記エア案内子に組み付けられている仕切り構造の前記透孔が前記エア案内子の前記貫通孔と連通しており、その他の前記仕切り構造は、前記凸部を隣接している仕切り構造の前記凹み空間に合せて取り付け、この取り付けを繰り返すことにより、複数の前記仕切り構造を互いに重ねて、こうして重ねられた仕切り構造は、それぞれの前記透孔が隣接しているそれぞれの前記仕切り構造の前記凹み空間と連通しており、更に、エア案内子の他端にねじ穴が開設されており、前記ねじ穴に対応して前記各仕切り構造に別の貫通孔が開設されており、ネジを前記別の貫通孔に挿通して前記ねじ穴をねじ込むことにより、前記仕切り組を構成することを特徴とする、気圧式除水装置用仕切り組である。
【０００６】
本発明の請求項２は、円筒体と、上カバーと、エア案内子を含む気圧式除水装置内に設置され、前記上カバーは、前記円筒体の一端に設置され、入り口通路と、出口通路を有し、前記二つの通路は、それぞれ外部及び前記円筒体と連通しており、前記エア案内子は貫通孔が開設されており、一端が前記上カバーに設けられ前記入り口通路と連通しており、かつ前記円筒体内に設置されている気圧式除水装置用仕切り組であって、前記仕切り組は、互いに脱着可能な複数の仕切り構造を重ねて構成され、前記各仕切り構造は、一端に凹み空間が設けられており、他端に凸部が設けられており、前記凸部は前記凹み空間に合せ可能な形状をしており、前記各仕切り構造には、前記凹み空間と前記凸部とを貫通した透孔が開設されており、前記凹み空間の内面に内ねじが設けられ、前記凸部の外面に外ねじが設けられ、前記エア案内子の内面に別の内ねじが設けられ、そのうちの一つの前記仕切り構造は、前記凸部の前記外ねじを前記エア案内子の前記別の内ねじに締め付けて前記エア案内子に組み付けられており、こうして前記エア案内子に組み付けられている仕切り構造の前記透孔が前記エア案内子の前記貫通孔と連通しており、その他の前記仕切り構造は、前記凸部の外ねじを隣接している仕切り構造の前記凹み空間の内ねじと螺合して取り付け、この取り付けを繰り返すことにより、複数の前記仕切り構造を互いに重ねて、こうして重ねられた仕切り構造は、それぞれの前記透孔が隣接しているそれぞれの前記仕切り構造の前記凹み空間と連通しており、以上の構成により、前記仕切り組を形成することを特徴とする、気圧式除水装置用仕切り組である。
【０００７】
本発明の請求項５は、請求項１又は２において、更に、前記エア案内子には、前記仕切り組の周りに嵌められている仕切り管が設けられている。
【発明の効果】
【０００８】
本発明の気圧式除水装置用仕切り組によれば、除水されたエアの湿度を低コストで変更可能であるという効果がある。
【発明を実施するための最良の形態】
【０００９】
以下、本発明の実施の形態を図面に基づいて説明する。
【００１０】
まず、図１乃至図３を参照する。本発明の実施例の気圧式除水装置用仕切り組は、仕切り組が気圧式除水装置内に設置されており、気圧式除水装置は、円筒体Ａと、上カバーＢと、締付け子Ｃと、エア案内子Ｄと、仕切り管Ｅを含み、前記円筒体Ａは、一端が開放され立設壁Ａ１を有し、他端が排水管Ａ２を有し、前記上カバーＢは、前記円筒体Ａの開放端に設けられており、外ねじＢ１が設けられており、出口通路Ｂ２と、入り口通路Ｂ３を有し、前記二つの通路Ｂ２，Ｂ３は、一端が前記上カバーＢの側面に開放されており、他端が前記上カバーＢの一端に開放され前記円筒体Ａと連通しており、前記締付け子Ｃは、収縮部Ｃ１と、内ねじＣ２を有し、前記収縮部Ｃ１により前記円筒体Ａの立設壁Ａ１が規制され、そして前記締付け子Ｃの内ねじＣ２は前記上カバーＢの外ねじＢ１と螺合しており、この螺合により、円筒体Ａと上カバーＢが結合されるようになり、前記エア案内子Ｄは、貫通孔Ｄ１が開設されており、一端が上カバーＢの入り口通路Ｂ２の他端に設けられており、これにより、エア案内子Ｄの貫通孔Ｄ１が入り口通路Ｂ２と連通しており、エア案内子Ｄが円筒体Ａ内に位置されており、前記仕切り管Ｅは、エア案内子Ｄの他端に設けられており、円筒体Ａ内に位置されている。
【００１１】
前記仕切り組は、互いに脱着可能な若干の仕切り構造１０を重ねて構成され、前記各仕切り構造１０は、一端に凹み空間１１が設けられており、他端に凸部１２が設けられており、前記凸部１２は前記凹み空間１１に合せ可能な形状をしており（本実施例では、凸部１２が円錐形状）、前記各仕切り構造１０には、前記凹み空間１１と前記凸部１２とを貫通した透孔１３（その直径は３mm〜１０mm程度範囲にした方がよい）が開設されており、そのうちの一つの仕切り構造１０は、凸部１２をエア案内子Ｄの他端に合せて前記エア案内子Ｄに組み付けられており、その他の仕切り構造１０は、凸部１２を隣接している仕切り構造１０の凹み空間１１に合せ、この合せを繰り返すと仕切り組が構成され（本実施例では、エア案内子Ｄの他端にねじ穴Ｄ２が四つ開設されており、各仕切り構造１０に貫通孔１４が四つ開設されており、四つのネジＦをそれぞれ四つの貫通孔１４に挿通してねじ穴Ｄ２にねじ込むと、各仕切り構造１０が仕切り組に構成され、その後、エア案内子Ｄに前記仕切り組を組み付け）、且つエア案内子Ｄに組み付けられている仕切り構造１０の透孔１３が前記エア案内子Ｄの貫通孔Ｄ１と連通しており、互いに重ねられたこれらの仕切り構造１０は透孔１３で隣接している仕切り構造１０の凹み空間１１と連通している。
【００１２】
高圧状態でのエアが上カバーＢの入り口通路Ｂ３から進入するときには、図４に示すように、エアが円筒体Ａと仕切り管Ｅとにそれぞれ進入し、エアが円筒体Ａと仕切り管Ｅとを通過しているときに、一部の水分が円筒体Ａと仕切り管Ｅとの内面に凝結され、次に、水分が仕切り管Ｅから各仕切り構造１０の凹み空間１１を経由して透孔１３を通過して次の仕切り構造１０の凹み空間１１に進入し、このように、エアは、引き続いて各仕切り構造１０と衝突し、そして各透孔１３内の流速と各凹み空間１１内の流速が異なるので、更に、一部の水分が各仕切り構造１０に凝結され、最後に、エアは、エア案内子Ｄの貫通孔Ｄ１と、上カバーＢの出口通路Ｂ２とを順次に通過して外部に排出され、これにより、水分を除去する効果を達成することができ、且つこれらの仕切り構造１０、仕切り管Ｅと円筒体Ａに凝結された水滴が円筒体Ａの排水管Ａ２から排出される。
【００１３】
また、各仕切り構造１０は、図５に示すように、凹み空間１１の内面に内ねじ１１１を設け、凸部１２の外面に外ねじ１２１を設け、エア案内子Ｄの内面に内ねじＤ３を設けてもよく、そうすると、各仕切り構造１０は、図６に示すように、内ねじ１１１で隣接している仕切り構造１０の外ねじ１２１と螺合することにより、これらの仕切り構造１０で仕切り組を構成することができ、前記仕切り組は、そのうちの一つの仕切り構造１０の外ねじ１２１によりエア案内子Ｄの内ねじＤ３に締付けることができる。
【図面の簡単な説明】
【００１４】
【図１】本発明の実施例及び気圧式除水装置の分解図
【図２】本発明の実施例及び気圧式除水装置の組合せ状態を示す概略図
【図３】本発明の実施例の斜視図
【図４】本発明の実施例が気圧式除水装置に設置されたときのエアの流動を示す概略図
【図５】本発明の実施例に係る仕切り構造が内外ねじを有することを示す概略図
【図６】本発明の実施例に係る各仕切り構造がねじで互いに螺合された状態を示す概略図
【符号の説明】
【００１５】
１０      仕切り構造
１１      凹み空間
１２      凸部
１３      透孔
１４      貫通孔
１１１    内ねじ
１２１    外ねじ
Ａ        円筒体
Ａ１      立設壁
Ａ２      排水管
Ｂ        上カバー
Ｂ１      外ねじ
Ｂ２      入り口通路
Ｂ３      出口通路
Ｃ        締付け子
Ｃ１      収縮部
Ｃ２      内ねじ
Ｄ        エア案内子
Ｄ１      貫通孔
Ｄ２      ねじ穴
Ｄ３      内ねじ
Ｅ        仕切り管
Ｆ        ネジ
【図１】
0004789963.tif 000002
【図２】
0004789963.tif 000003
【図３】
0004789963.tif 000004
【図４】
0004789963.tif 000005
【図５】
0004789963.tif 000006
【図６】
0004789963.tif 000007